(57)【要約】注射器外筒（１２）内に滑動可能に位置した中空プランジャー（１３）を有する注射器外筒（１２）を含んでなる自動引込み安全注射器である。該針組立品は、針、および針ハブ（１７）を保持するために外筒（１２）の端に溝、および前記針ハブ（１７）上に位置し、該針ハブ（１７）と外筒（１２）の端との間で作動するスプリングを有する針ハブ（１７）を含んでなる。該針ハブ（１７）は、その周囲に、使用中、注射器外筒（１２）の端に針ハブ（１７）を保持するようにロッキング手段が噛み合う溝を有する。注射完了の際、およびさらに、押し下げられた際、該プランジャー（１３）は、前記溝から前記ロッキング手段を追い出し、該針ハブ（１７）を解除し、したがって、該スプリングの影響下、該針およびスプリングを中空プランジャー（１３）の内側に引き込ませることによって、該針ハブ（１７）の自動引込みを作動させる。【選択図】図１９
2008532657.tif 000002
【特許請求の範囲】
【請求項１】
注射器内に自動引込み針組立品を組み込んだ自動引込み安全注射器であって、
該安全注射器は、注射器外筒内に滑動可能に位置した中空プランジャーを有する注射器外筒を有し、該中空プランジャーは、外筒内部に密封されて滑動可能であるようにその遠位端でそれに結合したピストン手段を有する近位端および遠位端を有し、該針組立品は、針および針ハブを具えており、前記針の針ハブと、前記針ハブ上に配置されて該針ハブと該外筒端との間で作動するスプリングとを保持するために前記外筒の端にくぼみを有し、該スプリングは、使用中、圧縮下で留まり、該針ハブは、該針ハブと該外筒端との間の漏れを防ぐために、該針ハブに結合した密封手段を有し、前記針ハブは、その周囲に、使用中、該スプリングの圧縮作用に対して前記注射器外筒の端に前記針ハブを保持するように、ロッキング手段が噛み合う溝またはくぼみを有し、該中空プランジャーの前記遠位端は密封栓を有し、該プランジャーは、注射完了の際に、第一段階において前記針組立品に接触し、さらに押し下げられた際、前記ロッキング手段を前記溝またはくぼみから追い出し、第二段階に達するまでに前記針ハブを解除させるようにロッキング手段に作用することによって、前記針ハブの自動引込みを作動させ、前記密封栓は、第二段階に達すると、前記プランジャーの前記遠位端から追い出し、それによって前記針ハブを解除し、したがって、該スプリングの影響下、前記針およびスプリングを前記中空プランジャーの内側に引き込ませることを特徴とする自動引込み安全注射器。
【請求項２】
前記針および針ハブが針グランド内に収容され、該注射器の該外筒に交換可能に連結できることを特徴とする請求項１に記載の自動引込み安全注射器。
【請求項３】
前記針組立品を前記外筒に取り外し可能に取り付ける手段が、ねじ手段により該外筒の端に嵌め合わされるグランドブッシュを有することによって提供されることを特徴とする請求項２に記載の自動引込み安全注射器。
【請求項４】
取り付けが、標準的なねじ嵌め合せ又はいわゆるルアーロック嵌め合せによることを特徴とする請求項３に記載の自動引込み安全注射器。
【請求項５】
請求項２から４のいずれか１項に記載の自動引込み安全注射器であって、該安全注射器は、注射器外筒内に滑動可能に位置した中空プランジャーを有する注射器外筒を有し、該中空プランジャーは、該外筒内部に密封されて滑動可能なようにその遠位端でそれに結合した前記ピストン手段を有する近位端および遠位端を有し、前記針組立品は、グランドブッシュと、針と針ハブとを具えており、前記針の針ハブと、前記針ハブ上に配置されて該針ハブと該グランドブッシュとの間で作動するスプリングとを保持するために該グランドブッシュにくぼみを有し、該スプリングは、使用中、圧縮下で留まり、該針ハブは、該針ハブと該グランドブッシュとの間の漏れを防ぐために、該針ハブに結合した密封手段を有し、前記針ハブは、その周囲に、使用中、該スプリングの圧縮作用に対して該グランドブッシュ内に該針ハブを保持するように、ロッキング手段が噛み合う溝を有し、前記中空プランジャーの前記遠位端は密封栓を有し、該プランジャーは、注射完了の際に、第一段階において前記針組立品に接触し、さらに押し下げられた際、前記針グランドに結合した前記ロッキング手段を前記溝から追い出し、第二段階に達するまでに該針ハブを解除させるように該針組立品に作用することによって、該針ハブの自動引込みを作動させ、前記密封栓は、第二段階に達すると、該プランジャーの前記遠位端から追い出し、それによって前記針ハブを解除し、したがって、該スプリングの影響下、該針およびスプリングを前記中空プランジャーの内側に引き込ませることを特徴とする自動引込み安全注射器。
【請求項６】
前記グランドが前記注射器外筒と一体化しているため、交換可能ではなく、該外筒の一部を形成することを特徴とする請求項５に記載の自動引込み安全注射器。
【請求項７】
前記ロッキング手段が、針ハブ付近に位置する溝と嵌め合わされる（場合によっては単数の）前記グランドブッシュの内周縁付近に位置する指状体または完全リングの形態にあることを特徴とする請求項１から６のいずれか１項に記載の自動引込み安全注射器。
【請求項８】
前記ロッキング手段が、前記グランドブッシュ、または場合によっては前記注射器の前記外筒と独立しており、合せピンを含むことを特徴とする請求項１から６のいずれか１項に記載の自動引込み安全注射器。
【請求項９】
前記針ハブ内の溝およびロッキング手段の構成部品の形状が、グランドブッシュ自身の中または場合によっては注射器外筒内の指状体またはリングの形態にあろうと、合せピンといった独立したアイテムであろうと、要求される目的のための任意の好適な形状であり得、円形、四角形および三角形といった形状が挙げられるが、必ずしもそれらに限定されるわけではないことを特徴とする請求項１から８のいずれか１項に記載の自動引込み安全注射器。
【請求項１０】
前記ピストン手段が前記プランジャー上を滑動可能であり、自動引込みを作動させるために、前記プランジャーを第１段階から第２段階へと移動させることを特徴とする請求項１から９のいずれか１項に記載の自動引込み安全注射器。
【請求項１１】
前記ピストンの移動が、前記プランジャーの外周縁付近に位置する３つのリッジを有することによって達成され、２つのリッジだけが、どの場合も前記ピストン密封体の内側に位置する結果、注射完了時、該プランジャーと該外筒間に過剰な圧力がかかると、該ピストン密封体は該プランジャー上に押し上げられ、これによって該プランジャーは該ピストン密封体を突き出て、予備組立てされた針グランド組立品を突き、自動引込みが達成されることを特徴とする請求項１０に記載の自動引込み安全注射器。
【請求項１２】
注射終了時に及ばされる増加圧力下で、前記ピストン手段が単に圧縮されることを特徴とする請求項１０に記載の自動引込み安全注射器。
【請求項１３】
前記針ハブがその外周縁付近にフランジを備え、前記グランドブッシュにおけるくぼみの内壁がステップを備え、その結果、前記スプリングが使用時の圧縮中維持されるように該フランジと該ステップとの間に位置することを特徴とする請求項１から１２のいずれか１項に記載の自動引込み安全注射器。
【請求項１４】
合せピンが使用され、前記プランジャーは前記針ハブに直接作用して、自動引込みを生じさせ、該合せピンはテーパ端を有し、前記針ハブ周囲の溝はテーパ溝であり、その中に前記合せピンの前記テーパ端が位置し、その結果、第２段階に達すると、該プランジャーは前記針ハブをさらに前記くぼみ内へ押し込め、それによって、合せピンの該テーパ端を該テーパ溝から押し出し、注射完了後、前記密封栓が、前記針ハブおよびスプリングを前記遠位端から追い出し、それによって前記中空プランジャーの内側へ引っ込ませることを特徴とする請求項１から１３のいずれか１項に記載の自動引込み安全注射器。
【請求項１５】
前記針ハブと前記グランドブッシュとの間の漏れを防ぐための前記密封手段が、好ましくは、該針ハブの前記フランジ付近に位置する単純なＯリングまたは類似の密封体であることを特徴とする請求項１４に記載の自動引込み安全注射器。
【請求項１６】
前記針ハブが一旦解除されたら、前記スプリングの影響下、該針ハブの引込みを妨害しないように、前記合せピンが、それが一旦前記テーパ溝から追い出されたら適切な位置に保持される手段を備えることを特徴とする請求項１５に記載の自動引込み安全注射器。
【請求項１７】
前記合せピンが前記針ハブから追い出された後、ハウジング内に押し込まれるように、該合せピンに沿って、わずかなテーパを有するといった、該合せピンを適切な位置に保持させる手段が干渉嵌めを含むことを特徴とする請求項１６に記載の自動引込み安全注射器。
【請求項１８】
前記針ハブおよびスプリングの付近にスリーブが位置し、前記プランジャーは該スリーブに作用して、自動引込みを生じさせ、該プランジャーが第２段階に達すると、前記合せピンが該針ハブ付近の溝から追い出され得る手段を該合せピンが有し、該プランジャーが前記スリーブをさらに前記くぼみ内へ押し込めることによって、前記合せピンの端を前記溝から追い出し、注射完了後、前記密封栓が、前記針ハブおよびスプリングを前記遠位端から追い出し、前記中空プランジャーの内側へ引っ込ませることを特徴とする請求項１から１３のいずれか１項に記載の自動引込み安全注射器。
【請求項１９】
前記ピンがテーパ端を有さないため、それが前記針ハブのより積極的なロッキングを提供し、したがって、該針ハブを、すなわち、自動引込み前に、前記グランドブッシュ内に保持しつつ、いずれの方向の動きからも該針ハブを保持することを特徴とする請求項１８に記載の自動引込み安全注射器。
【請求項２０】
前記合せピンがその側面に位置したテーパフランジを備え、それに対して前記スリーブの端が、追い出されて自動引込みが生じるように作用することを特徴とする請求項１９に記載の自動引込み安全注射器。
【請求項２１】
前記針ハブと前記グランドブッシュとの間の漏れを防ぐための前記密封手段が、該針ハブと該グランドブッシュとの間、したがって、該針ハブおよびスプリングの周囲の前記スリーブにわたって伸長する密封ウォシャーを備え、その結果、自動引込みを生じさせる際の前記プランジャーの作用が、該密封ウォッシャーを介し該スリーブに対して該プランジャーが間接的に作用する結果としてのものとなることを特徴とする請求項１８から２０のいずれか１項に記載の自動引込み安全注射器。
【請求項２２】
前記グランドブッシュの内周縁付近に位置した指状体またはリングまたは他のフランジ要素が使用され、前記針組立品は、グランドブッシュと、滑動スプレッダーブッシュと、グランド密封体と、針ハブと圧縮スプリングとを具えており、前記スリーブは、針ハブおよびスプリングの付近に位置する滑動スプレッダーブッシュの形態にあり、前記プランジャーは、該滑動スプレッダーブッシュに作用して自動引っ込みを生じさせ、該グランドブッシュに位置した指状体またはリングは押し離すことができ、したがって、該プランジャーが第２段階に達すると該針ハブ付近の溝から追い出され、該プランジャーは前記滑動スプレッダーブッシュをさらに前記くぼみ内へと押し込み、それによって前記指状体またはリングを前記溝から追い出し、注射完了後、前記密封栓がもう一度前記遠位端から前記針ハブおよびスプリングを追い出し、それらを前記中空プランジャーの内側へ引込ませることを特徴とする請求項１から１３のいずれか１項に記載の自動引込み安全注射器。
【請求項２３】
リングの場合は、リングが広がることができる１又はそれ以上のスリットなどの不連続領域を備えることが必要となることを特徴とする請求項２２に記載の自動引込み安全注射器。
【請求項２４】
前記滑動スプレッダーブッシュが、それぞれの指状体または場合によってはリングの展開を促進するために、その末端付近にテーパ領域を有し、円滑な相互作用を可能にさせることを特徴とする請求項２２または２３に記載の自動引込み安全注射器。
【請求項２５】
前記指状体またはリングの展開を達成するために前記滑動スプレッダーブッシュによって噛み合わされている前記グランドブッシュの一部を対応させてテーパし、円滑な相互作用を促進させることを特徴とする請求項２２または２３に記載の自動引込み安全注射器。
【請求項２６】
前記針ハブと前記グランドブッシュとの間の漏れを防ぐための前記密封手段がやはり、該針ハブと該グランドブッシュとの間、したがって、該針ハブおよびスプリングの周囲の前記スプレッダーブッシュにわたって伸長する密封ウォシャーを備え、その結果、自動引込みを生じさせる際の該プランジャーの作用は、該密封ウォッシャーを介し該スプレッダーブッシュスリーブに対して該プランジャーが間接的に作用する結果としてのものとなることを特徴とする請求項２１から２５のいずれか１項に記載の自動引込み安全注射器。
【請求項２７】
注射後、前記プランジャーが押し下げられる際、該プランジャーは前記密封体に接触し、それを押し下げることで、前記滑動スプレッダーブッシュが前記グランドブッシュの内側に形成された前記指状体またはリングとの噛み合いが生じ、該プランジャーを押し続けることにより、該指状体またはリングが外へ出され、前記針ハブを解除する一方、同時に、前記中空プランジャーの末端内部に位置した前記密封栓が該プランジャーの内側に追い出され、前記圧縮スプリングが、該針ハブを該中空プランジャー内へと引込ませることを特徴とする請求項２６に記載の自動引込み安全注射器。
【請求項２８】
前記グランドブッシュ内に２つの指状体が使用されることを特徴とする請求項２７に記載の自動引込み安全注射器。
【請求項２９】
針キャップに、使用前の針を保護するための組立品を備えることを特徴とする請求項１から２８のいずれか１項に記載の自動引込み安全注射器。
【請求項３０】
前記針グランドが好ましくは干渉嵌めによって前記針キャップ内に保持され、好ましくは、該針グランドの外側に、前記針キャップの内側でスプラインと嵌め合わされる嵌め合わせスプラインが存在することを特徴とする請求項２９に記載の自動引込み安全注射器。
【請求項３１】
前記注射器の前記外筒が、好ましくは透明プラスチックであり、液位を読み取るために目盛り付けされていることを特徴とする請求項１から３０のいずれか１項に記載の自動引込み安全注射器。
【請求項３２】
前記ピストンが、好ましくは、合成ゴムで作製され、前記プランジャーと前記外筒との間の干渉嵌めによって密封するように該プランジャーに嵌め込まれており、それにより、通常の使用では、針を介して注射器から液体が押し出されることを特徴とする請求項１から３１のいずれか１項に記載の自動引込み安全注射器。
【請求項３３】
図面の図１から３、図４から７または図８から２１に関連させて本明細書に実質的に記載された自動引込み安全注射器。
【発明の詳細な説明】
【技術分野】
【０００１】
本発明は、医師、外科医または他の針操作者が針使用後の針による負傷から保護され得るように、医療または歯科の専門において、または個人的な薬剤投与において使用するための、自動引込み針を有する安全注射器に関する。好ましい一形態において、本発明は特に、注射完了の際に、該注射器の針ハブの自動引込みを促進するグランド組立品に関する。しかし、本発明はそれに限定されず、本発明による自動引込み機構が適用できる任意の注射器を含むことが意図されている。
【０００２】
背景技術
最近、針刺傷が、医療の専門家のものでも、海岸または公園で遊んでいる児童のものでも、目だって増加してきている。街中の一般人に関するものであろうと、専門の医療従事者に関するものであろうと、針刺傷を受けた結果は、重大な血液由来の疾病に感染する人が出るという結果となる。
【０００３】
医療従事者業務の通常の過程で針を使用している医療従事者への負傷の危険性およびＨＩＶまたはＢ型肝炎感染の可能性は十分に文書化されている。
【０００４】
さらに、自分で薬剤を投与する習慣を持っている人は、いったん使用された針が非滅菌形態で再使用されるならば、特定のウィルスに接触する重大な危険を冒すか、または実際に他のウィルスに接触している危険にある。さらに、注射器の針を交換する必要がある場合にも危険がある。
【０００５】
多数のいわゆる針刺傷の減少を目的とした多くの提案および種々の企てが、このようないったん使用された針の廃棄に関する安全なシステムを提供するためになされてきたが、このような先行の提案には欠点があった。
【０００６】
以下の説明は主に、種々のサイズの針に適合させる必要があるか、またはバイアルから注射器への充填と患者への注射投与との間に針交換の必要がある場合の、いわゆる交換針安全注射器における本発明の使用に関するものであるが、本発明はそれに限定されず、注射完了後に針の自動引込みを提供することが望まれる任意の注射器における本発明の使用もまた考慮されている。したがって、必要ならば好適な修飾により本発明が利用できる、自動引込み針を必要とする任意の注射器もまた包含されることが意図されている。
【０００７】
自動引込み外科用縫合針を有する注射器を提供することが本発明の目的の一つである。使用前に滅菌様式で、および一旦使用した外科用縫合針を実質的に安全な様式で永久的に保存するために、このような自動引込み針を用いる注射器を提供することが、本発明のさらなる目的である。本発明は、いわゆる交換針注射器により、または使用後に針の自動引込みを必要とする他の注射器により利用できる。
【０００８】
本発明は主に、注射が完了した際に、針を外筒の内側に自動的に引き込ませることにより該注射器の取り扱いを安全にすることによって、針刺傷を除去することが意図されている。
【０００９】
少なくとも本発明は、いったん注射器が使用されたら、露出した針との望ましくない接触から生じる偶発的な負傷を防ぐために、交換針注射器などの使用された注射器の針を収容する代替手段を提供する。
【００１０】
以下の説明は一般に、通常のサイズの注射器に関するものだが、それによってこのような限定が意図されているわけではなく、ある注射器についての記述は、好適な修飾により本発明がやはり有用に適用できる、細型注射器などの任意の他の針／注射器の組み合わせもまた包含することが意図されている。
【００１１】
発明の開示
広範な一形態では、本発明は、注射器内に自動引込み針組立品を組み込んだ安全注射器を提供し、該安全注射器は、注射器外筒内に滑動可能に配置された中空プランジャーを有する注射器外筒を有し、該中空プランジャーは、外筒内で密封されて滑動可能なようにそれに結合したピストン手段を近位端および遠位端に有し、該針組立品は、針、および針ハブを具えており、針の針ハブおよび前記針ハブ上に配置され、該針ハブと外筒の端部との間で作動するスプリングを保持するために外筒の端部にくぼみを有し、該スプリングは、使用中、圧縮下で留まり、該針ハブは、針ハブと外筒の端部との間の漏れを防ぐために、針ハブに結合した密封手段を有し、前記針ハブは、その周囲に、使用中、スプリングの圧縮作用に対して注射器外筒の端部に針ハブを保持するように、ロッキング手段が噛み合う溝またはくぼみを有し、該中空プランジャーの遠位端は密封栓を有し、該プランジャーは、注射完了の際に、第一段階において前記針組立品に接触し、さらに押し下げられた際、前記ロッキング手段を前記溝またはくぼみから追い出し、第二段階に達するまでに針ハブを解除させるようにロッキング手段に作用することによって、針ハブの自動引込みを作動させ、前記密封栓は、第二段階に達すると、前記遠位端から追い出し、それによって前記針ハブを解除し、したがって、スプリングの影響下、針およびスプリングを前記中空プランジャーの内側に引きこませる。
【００１２】
好適には、針および針ハブは、注射器の外筒に交換可能に連結できる針グランドに収容される。
【００１３】
したがって、本発明の特に好ましい形態において、本発明は、広範な一形態で、注射器内に自動引込み針組立品を組み込んだ安全注射器を提供し、該安全注射器は、注射器外筒内に滑動可能に配置された中空プランジャーを有する注射器外筒を有し、該中空プランジャーは、外筒内で密封されて滑動可能なようにそれに結合したピストン手段を近位端および遠位端に有し、該針組立品は、グランドブッシュ、針、および針ハブを含んでなり、針の針ハブおよび前記針ハブ上に配置され、該針ハブと該グランドブッシュとの間で作動するスプリングを保持するためにグランドブッシュにくぼみを有し、該スプリングは、使用中、圧縮下で留まり、該針ハブは、針ハブとグランドブッシュとの間の漏れを防ぐために、針ハブに結合した密封手段を有し、前記針ハブは、その周囲に、使用中、スプリングの圧縮作用に対してグランドブッシュに針ハブを保持するように、ロッキング手段が噛み合う溝を有し、該中空プランジャーの遠位端は密封栓を有し、該プランジャーは、注射完了の際に、第一段階において前記針組立品に接触し、さらに押し下げられた際、針グランドに結合した前記ロッキング手段を前記溝から追い出し、第二段階に達するまでに針ハブを解除させるように、針組立品に作用することによって、針ハブの自動引込みを作動させ、前記密封栓は、第二段階に達すると、前記針ハブを前記遠位端から追い出し、それによって前記針ハブを解除し、したがって、スプリングの影響下、針およびスプリングを前記中空プランジャーの内側に引き込ませる。
【００１４】
該針グランドは、該針組立体を交換可能に取り外すことを可能にすることは理解されよう。しかし、本発明は、同じままであり、すなわち、プランジャーの作用が、ロッキング手段を解除させ、それによって、適宜、外筒内、またはグランド内に保持された針ハブを解除する結果、このように解除された際に針ハブを中空プランジャーに進入させるように、使用時、外筒自体内、またはグランド内のいずれかに位置したロッキング手段が使用される。
【００１５】
以下の説明は主に、グランドの使用に関するものであるが、それによって限定が意図されているわけではなく、グランドが使用されない場合のグランドに対する記述は、グランドが使用される別の場合にはその中に保持されるはずの外筒自体に対する記述とみなすならば、任意の注射器が考慮されている。言い替えるならば、針の交換可能性を提供するための外筒内におけるグランドの使用は、単に二部分の外筒構造として解釈すべきであり、グランドが使用されない場合、それを単一の一体構造として考えることができる。
【００１６】
ロッキング手段は、針ハブ付近に位置する溝に噛み合う（場合によっては単数）グランドブッシュの内周付近に位置する、指状または完全リング状の形態であることが好ましい。
【００１７】
あるいは、ロッキング手段はグランドブッシュとは独立していることもあり得、例えば、以下の実施形態の一つに記載されているような合せピンを含み得る。
【００１８】
針ハブ内の溝およびロッキング手段などの構成部品の形状は、グランドブッシュ自体内の指状またはリング状の形態にあろうと、合せピンなどの独立したアイテムであろうと、要求される目的のための任意の好適な形状であり得、円形、四角形および三角形などの形状が挙げられるが、必ずしもそれらに限定されるわけではない。
【００１９】
したがって、針組立品は、注射器用のいわゆる交換針組立品を提供するために、外筒の端に、針組立品の除去可能な付属品のための手段を有することが好ましい。
【００２０】
このような特定の実施形態において、針組立品を外筒に除去可能に取り付けている手段は、ねじ込み手段によって外筒の端に嵌め込まれたグランドブッシュを有することによって提供されることが好ましい。取り付け手段は、標準的なねじ嵌め込み、またはいわゆるルアーロック嵌め込みであり得る。
【００２１】
ピストン手段は、プランジャー上を滑動可能であり、自動引込みを作動させるために、プランジャーを第１段階から第２段階へと移動させることが好ましい。この移動は、好ましくは、プランジャー外周縁辺付近に位置する３つのリッジを有することによって達成され、２つのリッジだけが、どの場合もピストン密封体の内側に位置する。注射完了時、プランジャーと外筒間に過剰な圧力がかかると、ピストン密封体はプランジャー上に押し上げられる。これによってプランジャーはピストン密封体を突き出て、予備組立てされた針グランド組立品を突き、自動引込みが達成される。
【００２２】
あるいは、ピストン手段は注射の最後に及ぼされる増加圧力下で、単に圧縮性であり得る。
【００２３】
好ましくは、針ハブはその外周縁付近にフランジを備え、グランドブッシュにおけるくぼみの内壁はステップを備え、スプリングが使用時の圧縮中維持されるように、フランジとステップとの間に位置する。
【００２４】
合せピンを使用する本発明の一実施形態において、プランジャーは針ハブに直接作用して、自動引込みを生じさせ、合せピンはテーパ端を有し、前記針ハブ周囲の溝はテーパ溝であり、その中に前記合せピンのテーパ端が位置し、その結果、第２段階に達すると、プランジャーは前記針ハブをさらに前記くぼみ内へ押し込め、それによって、合せピンのテーパ端をテーパ溝から押し出し、注射完了後、前記密封栓が、前記遠位端から追い出し、それによって、前記針ハブおよびスプリングを前記中空プランジャー内へと引っ込ませる。
【００２５】
この実施形態において、針ハブとグランドブッシュとの間の漏れを防ぐための密封手段は、針ハブのフランジ付近に位置する単純なＯリングまたは類似の密封体であることが好ましい。
【００２６】
好ましくは、針ハブがいったん解除されたら、スプリングの影響下、針ハブの引込みを妨害しないように、合せピンは、それがいったんテーパ溝から追い出されたら位置が保持される手段を備える。このような手段としては、例えば、針ハブからそれが追い出された後、ハウジング内に押し込まれるように、合せピンのに沿って、わずかなテーパを有することによる干渉嵌めが挙げられる。
【００２７】
代替的な一実施形態において、針ハブおよびスプリングの付近にスリーブが位置し、プランジャーはスリーブに作用して、自動引込みを生じさせ、プランジャーが第２段階に達すると、合せピンが針ハブ付近の溝から追い出され得る手段を合せピンが有し、プランジャーは前記スリーブをさらに前記くぼみ内へ押し込め、それによって、合せピンの前記端を前記溝から追い出し、注射完了後、前記密封栓が、前記針ハブおよびスプリングを前記遠位端から追い出し、前記中空プランジャー内へと引っ込ませる。
【００２８】
この実施形態においては、ピンはテーパ端を有する必要がないため、針ハブのより積極的なロッキングを提供し、すなわち、自動引込み前に、針ハブをグランドブッシュ内に保持しつつ、いずれの方向の動きからも針ハブを保持することが理解されよう。
【００２９】
この実施形態において、好ましくは、合せピンはその側部に位置するテーパフランジを備え、それに対してスリーブの端部は、それが追い出されて自動引込みを達成するように作用する。この装置（すなわち、ハブ付近に位置するスリーブを使用すること）の利点は、合せピンが積極的手段により、すなわち、スリーブの影響下で抑止されることであり、これは、針ハブが合せピンからの妨害の可能性なしに自由に引込むことを意味する。
【００３０】
この実施形態において、好ましくは、針ハブとグランドブッシュとの間の漏れを防ぐための密封手段は、針ハブとグランドブッシュとの間、したがって、針ハブおよびスプリングの周囲のスリーブにわたって伸長する密封ウォシャーを備え、その結果、自動引込みを生じさせる際のプランジャーの作用は、密封ウォッシャーを介しスリーブに対してプランジャーが間接的に作用する結果としてのものとなる。
【００３１】
合せピンを使用する上記実施形態の代替的な実施形態の一つにおいて、本発明は、グランドブッシュの内周縁付近に位置した指状体またはリングまたは他のフランジ要素を使用する。
【００３２】
この場合、針組立品は以下の部品から作製されることが好ましい：
１．グランドブッシュ
２．滑動スプレッダーブッシュ
３．グランド密封体
４．針ハブ
５．圧縮スプリング
【００３３】
この実施形態において、合せピンを使用する実施形態に関連した上記スリーブは、代わりに滑動スプレッダーブッシュの形態であり、これもやはり、針ハブおよびスプリングの付近に位置し、プランジャーは、この場合もやはり滑動スプレッダーブッシュに作用して自動引っ込みを生じさせ、グランドブッシュに位置した指状体またはリングを押し離すことができ、したがって、プランジャーが第２段階に達すると針ハブ付近の溝から追い出され、プランジャーは前記滑動スプレッダーブッシュをさらに前記くぼみ内へと押し込み、それによって前記指状体またはリングを前記溝から追い出し、注射完了後、前記密封栓がやはり前記遠位端から追い出し、前記針ハブおよびスプリングを前記中空プランジャー内へと引込ませる。
【００３４】
リングの場合は、リングが広がることができる１つまたは複数のスリットなどの不連続領域を備えることが必要となる。
【００３５】
滑動スプレッダーブッシュは、それぞれの指状部分または場合によってはリングの展開を促進するために、その末端付近にテーパ領域を有し、円滑な相互作用を可能にさせることが好ましい。逆に、指状体またはリングの展開を達成するために滑動スプレッダーブッシュによって噛み合わされているグランドブッシュの一部を対応させてテーパし、円滑な相互作用を促進させる。
【００３６】
この装置（すなわち、ハブ付近に位置する滑動スプレッダーブッシュの形態におけるスリーブを使用すること）の利点はやはり、指状体またはリングが積極的手段により、すなわち、スプレッダーブッシュの影響下で抑止されることであり、これは、針ハブが指状体またはリングからの妨害の可能性なしに自由に引込むことを意味する。
【００３７】
この実施形態において、好ましくは、針ハブとグランドブッシュとの間の漏れを防ぐための密封手段はやはり、針ハブとグランドブッシュとの間、したがって、針ハブおよびスプリングの周囲のスプレッダーブッシュにわたって伸長する密封ウォシャーを備え、その結果、自動引込みを生じさせる際のプランジャーの作用は、密封ウォッシャーを介しスプレッダーブッシュに対してプランジャーが間接的に作用する結果としてのものとなる。
【００３８】
したがって、注射後、プランジャーが押し下げられる際、プランジャーは密封体に接触する。それを押し下げることで、滑動スプレッダーブッシュがグランドブッシュの内側に形成された指状体またはリングと噛み合う。プランジャーを押し続けることにより、指状体またはリングが外へ出され、針ハブを解除する。同時に、中空プランジャーの末端内に位置した密封栓がプランジャー内に追い出され、圧縮スプリングが、針ハブを中空プランジャー内へと引込ませる。グランドブッシュ内に２つの指状体を使用することが好ましい。
【００３９】
合せピンの装置は有用ではあるが、特にこの後半の実施形態に記載された２つの指状体の使用により、組立てがはるかに容易になり、より困難な合せピンおよび小さいスプリングが省かれることが分かった。さらに、一緒に使用される任意のキャップの側面に、例えば間隙を有する合せピンを備える必要がないため、デザインをより流線形にできる。
【００４０】
前記実施形態のいずれにおいても、針キャップに、使用前の針を保護するための組立品を備えることが好ましい。
【００４１】
使用前、針キャップは、針を損傷から保護し、また、注射器を使用する医療従事者を針刺傷から防ぐ安全キャップとしても働く。針キャップの存在はまた、交換針実施形態では、針が保護されていない場合に起こり得る針刺傷の危険なしに針組立品を簡便に交換できるということも意味する。
【００４２】
交換針の場合、針グランドは干渉嵌めによって針キャップ内に保持されることが好ましい。針グランドの外側に、針キャップの内側でスプラインと嵌め合わされる嵌め合わせスプラインが存在することが好ましい。
【００４３】
したがって、針はグランドブッシュにおけるねじ内に予備組立てされ、針刺傷を防ぐ安全キャップと噛み合わされ、したがって、必要とされることは、滅菌パッケージングを取り外し、予備組立てされた針ハウジングを注射器にねじ込み、安全キャップを取り外すだけである。そこで、注射器は使用の準備が完了する。
【００４４】
この場合、組立て後、すなわち、針グランドを内側に針と組み立てて、保護針キャップを嵌めた後、その組立て品を、外筒端の内側にねじ締めする。針グランドとねじ込み外筒の内側との間の嵌め合わせテーパの手段により、密封箇所を固定する。
【００４５】
針グランドの組立て後、すなわち、その中に嵌め合わせた針ハブを外筒内にねじ込み、密封を達成した後、針キャップを該組立て品から取り外し、針の使用準備が完了する。この注射器のさらなる利点は、種々のサイズの針を嵌め合わせることができ、どの針を使用するかを医療専門家が選択できることを可能にすることである。
【００４６】
前記実施形態のいずれにおいても、注射器の外筒は透明プラスチックで液位を読み取るために目盛り付けされていることが好ましい。
【００４７】
ピストンは、好ましくは、合成ゴムから作製され、プランジャーと外筒との間の干渉嵌めによって密封するようにプランジャーに嵌め込まれており、それにより、通常の使用では、針を介して外筒から液体が押し出される。
【００４８】
本発明は、好ましい実施形態の以下の非限定的説明からより良く理解できる。
【００４９】
発明を実施するための最良の形態
図１から３には一般に注射器の構成部品が示されており、針結合体は一般に１１と記され、これは注射器外筒１２、プランジャー１３、および一般に１４と記されている針組立品を含んでなる。針組立品１４は、上端に針ハブ１７を有する針１６を収容するグランドブッシュ１５を含んでなる。針１６はグランドブッシュ１５を通って突き出ている。針ハブ１７は、好ましくは、医療グレードのプラスチックから製造され、針１６を支持する。
【００５０】
グランドブッシュ１５は、外筒１２の末端部内側に位置する対応するねじ１９と噛み合わせるために、その外周縁付近にねじ１８を有する。グランドブッシュ１５の末端のメールテーパ部分２０は、外筒１２の端における対応するフィーメールテーパ部分２１に対して密封を提供する。したがって、グランドブッシュ１５は外筒１２との密封を作り出し、外筒１２とグランドブッシュ１５のねじ込み部分１８との間の漏れを防ぐ。グランドブッシュ１５はプラスチックから作製されることが好ましい。
【００５１】
安全キャップ２３は、好ましくは、医療グレードのプラスチックから製造され、グランドブッシュ１５上に適切に嵌め合わされる。安全キャップ２３はその外面にリッジ（図示せず）を有し、使用前のその取り外しを補助する指用グリップを与え、グランドブッシュ１５を注射器１１の本体１２内へねじ込む際に駆動を与える。安全キャップ２３の目的は、針組立品１４を、すなわち、グランドブッシュ１５の手段により注射器１１に嵌め合せる際の針刺傷を防ぎ、かつ鋭い滅菌の針１６の使用準備を提供することである。
【００５２】
グランドブッシュ１５は、安全キャップ２３が位置している領域からねじ部分１８を分離するために、ねじ１８に隣接したフランジ２４を有する。
【００５３】
グランドブッシュ１５の内側は、付近にステンレス鋼スプリング２６の位置する針ハブ１７を保持するためのくぼみ２５を有する。フランジ２７は、針ハブ１７の外周縁付近に位置し、一方、ステップ２８はグランドブッシュ１５内のくぼみ２５の内壁に備えられる。スプリング２６は、針ハブ１７のフランジ２７とグランドブッシュ１５のくぼみ２５内のステップ２８との間に圧縮されて維持される。
【００５４】
また、グランドブッシュ１５の側面には、合せピン３０を収容するためのハウジング２９がある。ハウジング２９を収容するために、キャップ２３内に、対応する間隙領域４５が備えられる。
【００５５】
針ハブ１７の本体周囲にテーパ溝３１がある。この溝３１内にテーパ合せピン３０の末端が位置する。小さなステンレス鋼スプリング３２が、合せピン３０を、針ハブ１７内の溝３１を有するロッキングの噛み合い内へと推し進める。
【００５６】
注射完了時に、プランジャー１３が働くと、針ハブ１７が針グランドブッシュ１５のくぼみ２５の中へとさらに押し入れられ、合せピン３０を外側へ押し、解除された針ハブ１７に作用するスプリング２６が針１６を引込み位置内へ押し込むことから、針１６の自動引込みが生じる。合せピン３０が溝３１から引き込まれる際にハウジング２９内にそれをしっかり保つため、合せピンの全長に沿ってわずかなテーパが備えられる。
【００５７】
ハブ１７とグランド１５内側のくぼみ２５との間の漏れを防ぐために、針ハブ１７は、フランジ２７の周囲に密封体３３を有する。
【００５８】
針１６を通って患者内へ注射されている液体を通過させるために、針ハブ１７の中間を通る孔３４が備えられる。
【００５９】
針ハブ１７の端を、内部密封体内に位置するフィーメールスピゴット３６、またはプランジャー１３の端にある密封栓３７と整列させるために、針ハブ１７の底部にスピゴット３５が位置する。密封栓３７は、最後の注射が完了する前に、プランジャー１３の内側を密封する。
【００６０】
溝３８は、針ハブ１７とプランジャー１３との間の最後の注射液を、針１６を通して流出させる。
【００６１】
プランジャー１３は、好ましくは、医療グレードのプラスチックから製造され、ピストン密封体３９の外側に留められる。上記のとおり、針ハブ１７に沿って押し下げることによって自動引込み装置を作動させるために、最終注射の際にピストン密封体３９を移動させる。この移動は、３つのリッジ４０、４１、および４２をプランジャー１３上に有することによって達成される。いずれの時点でも、２つのリッジのみがピストン密封体３９の内側に位置する。注射完了時に、プランジャー１３と外筒１２との間との間に過剰な圧力が及ばされた際、ピストン密封体３９はプランジャー１３上に押し上げられ、すなわち、ピストン密封体３９はリッジ４０、４１からリッジ４１、４２へ移動する。これによって、プランジャー１３はピストン密封体３９を通って突出し、予備組立てされた針グランド組立品１４を突くが、この場合、針ハブ１７を直接突く。
【００６２】
プランジャー１３は中空であり、その近位端に位置したサムキャップ４５を有する。プランジャー１３は、注射完了後、針ハブ１７、したがって、針１６ならびにステンレス鋼スプリング２６を取り入れるために中空である。したがって、密封栓３７は、注射が完了した際、針ハブ１７上のスピゴット３５との接触により追い出される。針ハブ１７およびステンレス鋼圧縮スプリング１６の引っ込みにより、密封栓３７はプランジャー１３の内側で押し上げられる。密封栓３７の引っ込みは、空気を遮断してプランジャー上部の排出孔４３を通って徐々にのみ排出させる外筒１２内側の密封面によって、その移動が緩徐化される。この緩徐な引込みにより、針端１６からの跳ねかけが防止される。
【００６３】
緩徐な引込みはまた、プランジャー１３の内側のわずかにテーパされた中空領域の使用によっても達成できる。注射後、密封栓３７がプランジャー１３の内側に戻る時、空気は増量されて密封栓３７の前部に排出される。これによって、針１６および密封栓３７は、空気が排出される際に、最初はゆっくり、次いで速度を増して戻り、一方、スプリング２６はプランジャー１３の内側で、針２６および密封栓３７の上方への移動を生じさせる。
【００６４】
したがって、外筒１２は、ピストン密封体３９および密封栓３７を含有するプランジャー１３を保持する。外筒１３は、透明な医療グレードのプラスチックから作製し、注射する液体量の目視液位を提供するための目盛りを定める。針キャップ２３および針１６を含有するグランドブッシュ１５を予備組立てし、外筒１２にねじ込む。外筒上部の２つの突起４４は、通常の様式での注射を可能にする指用グリップである。
【００６５】
使用時、注射器１１を滅菌パッケージングから取り出す。予備組立てされたグランド組立品１４を滅菌パッケージングから取り出し、安全キャップ２３により保持することによって、グランド組立品１４を注射器外筒１２のねじ端１９内にねじ込む。キャップ２３を取り外した後、針１６をバイアル内に挿入する。プランジャー１３を引き戻すことによって、注射器１１に充填する。注射を投与する。注射完了時、針ハブ１７が下方に移動し、合せピン３０および密封栓３７を解除するまで、プランジャー１３を押し下げる。この時点で、針１６はプランジャー１３の内側、したがって、外筒１２の内側に引込む。これで注射器１１は安全で操作不可能となる。ここで注射器１１全体を、信頼できる様式で安全に廃棄できる。必要な場合、バイアルから注射器１１への充填後、注射前に、針交換を行うことができる。
【００６６】
一般に図４から７については、構成部品の各々は、構成部品が実質的に同一である図１から３の数字と同一の数字で記されている。
【００６７】
しかしこの実施形態において、プランジャー１３の端は図１から３に示された実施形態の場合のように針ハブ１７に直接作用することなく、スプリング２６および針ハブ１７双方の付近に位置したスリーブ４８が存在する。針ハブ１７とグランドブッシュ１５の内壁との間の間隙を越えて密封体４９が伸長する。この場合、プランジャー１３は、密封体４９を介してスリーブ４８に作用することによって自動引込みを達成する。合せピン５０は、スプリング５２の手段により、溝５１との嵌め合い接触に押し込まれる。該ピン５０は、注射完了時にプランジャー１３が押し下げられる際、すなわち、それが上記のとおり、第１段階から第２段階へと移動する際、スリーブ４８の端が押し付けられる該ピンの側面にテーパフランジ５４を備える。
【００６８】
したがって、図４から７において、注射器外筒１２、プランジャー１３および一般に１４と記される針組立品を含んでなる、一般に１１と記される注射器および針結合体が示されている。針組立品１４は、上端に針ハブ１７を有する、針１６を収容するグランドブッシュ１５を含んでなる。針１６はグランドブッシュ１５を通って突出する。針ハブ１７は、好ましくは、医療グレードのプラスチックから製造され、針１６を支持する。
【００６９】
グランドブッシュ１５は、外筒１２の端の内側に位置する対応するねじ１９との嵌め合い噛み合わせのためのねじ１８を、その外周縁付近に有する。グランドブッシュ１５の端のメールテーパ部分２０は、外筒１２の端にあるフィーメールテーパ部分２１に対する密封を提供する。したがって、グランドブッシュ１５は、外筒１２との密封を作り出し、外筒１２とグランドブッシュ１５のねじ部分１８との間の漏れを防止する。グランドブッシュ１５はプラスチックから作製されることが好ましい。
【００７０】
安全キャップ２３は、好ましくは、医療グレードのプラスチックから製造され、グランドブッシュ１５上に適切に嵌め合わされる。安全キャップ２３はその外面にリッジ（図示せず）を有し、使用前のその取り外しを補助する指用グリップを与え、グランドブッシュ１５を注射器１１の本体１２内へねじ込む際に駆動を与える。安全キャップ２３の目的は、針組立品１４を、すなわち、グランドブッシュ１５の手段により注射器１１に嵌め合せる際の針刺傷を防ぎ、かつ鋭い滅菌の針の使用準備を提供することである。
【００７１】
グランドブッシュ１５は、安全キャップ２３が位置している領域からねじ部分１８を分離するために、ねじ１８に隣接したフランジ２４を有する。
【００７２】
グランドブッシュ１５の内側は、付近にステンレス鋼スプリング２６の位置する針ハブ１７を保持するためのくぼみ２５を有する。フランジ２７は、針ハブ１７の外周縁付近に位置し、一方、ステップ２８はグランドブッシュ１５内のくぼみ２５の内壁に備えられる。スプリング２６は、針ハブ１７のフランジ２７とグランドブッシュ１５のくぼみ２５内のステップ２８との間に圧縮されて維持される。
【００７３】
また、グランドブッシュ１５の側面には、合せピン５０を収容するためのハウジング２９がある。ハウジング２９を収容するために、キャップ２３内に、対応する間隙領域４５が備えられる。
【００７４】
針ハブ１７の本体付近に溝５１がある。合せピン５０の端が溝５１内に位置する。小さなステンレス鋼スプリング５２が、合せピン５０を、針ハブ１７内の溝５１を有するロッキングの噛み合い内へと推し進める。
【００７５】
ハブ１７とグランドブ１５内側のくぼみ２５との間の漏れを防ぐために、針ハブ１７とグランドブッシュ１５の壁との間に密封体５３。
【００７６】
注射完了時に、プランジャー１３が働くと、プランジャーが密封体５３に作用して、スリーブ４８は針グランドブッシュ１５のくぼみ２５の中へとさらに押し込められ、ピン５０の側面にあるフランジ５４のテーパ面に対するスリーブ端の作用のために、合せピン５０が外側へ押され、解除された針ハブ１７に作用するスプリング２６が針１６を引込み位置内へ押し込むことから、針１６の自動引込みが生じる。
【００７７】
密封栓３７は、最後の注射が完了する前に、プランジャー１３の内側を密封する。
【００７８】
プランジャー１３は、好ましくは、医療グレードのプラスチックから製造され、ピストン密封体３９の外側に留められる。上記のとおり、密封体５３を介してスリーブ４８に沿って押し下げることによって自動引込み装置を作動させるために、最終注射の際に、ピストン密封体３９を移動させる。この移動は、３つのリッジ４０、４１、および４２をプランジャー１３上に有することによって達成される。いずれの時点でも、２つのリッジのみがピストン密封体３９の内側に位置する。注射完了時に、プランジャー１３と外筒１２との間との間に過剰な圧力が及ばされた際、ピストン密封体３９はプランジャー１３上に押し上げられ、すなわち、ピストン密封体３９はリッジ４０、４１からリッジ４１、４２へ移動する。これによって、プランジャー１３はピストン密封体３９を通って突出し、予備組立てされた針グランド組立品１４を突くが、この場合、密封体５３を介してスリーブ４８を間接的に突く。
【００７９】
プランジャー１３は中空であり、その近位端に位置したサムキャップ４５を有する。プランジャー１３は、注射完了後、針ハブ１７、したがって、針１６ならびにステンレス鋼スプリング２６を取り入れるために中空である。したがって、密封栓３７は、注射が完了した際に追い出される。針ハブ１７およびステンレス鋼圧縮スプリング１６の引っ込みにより、密封栓３７はプランジャー１３の内側で押し上げられる。密封栓３７の引っ込みは、図１の実施形態に関連した上記のとおり、緩徐化することができ、針端１６からの跳ねかけが防止される。
【００８０】
したがって、外筒１２は、ピストン密封体３９および密封栓３７を含有するプランジャー１３を保持する。外筒１３は、透明な医療グレードのプラスチックから作製され、注射する液体量の目視液位を提供するための目盛りが定められる。針キャップ２３および針１６を含有するグランドブッシュ１５を予備組立てし、外筒１２にねじ込む。外筒上部の２つの突起４４は、通常の様式での注射を可能にする指用グリップである。
【００８１】
使用時、注射器１１を滅菌パッケージングから取り出す。予備組立てされたグランド組立品１４を滅菌パッケージングから取り出し、安全キャップ２３により保持することによって、グランド組立品１４を注射器外筒１２のねじ端１９内に、図２で示すように、ねじ込む。キャップ２３を取り外した後、針１６をバイアル内に挿入する。図３で示すように、プランジャー１３を引き戻すことによって、注射器１１に充填する。注射を投与する。注射完了時、図４に示されるように、スリーブ４８が下方に移動し、合せピン５０および密封栓３７を解除するまで、プランジャー１３を押し下げる。この箇所で、針１６は、図５に示されるように、プランジャー１３の内側、したがって、外筒１２の内側に引込む。これで注射器１１は安全で操作不可能となる。ここで注射器１１全体を、信頼できる様式で安全に廃棄できる。必要な場合、バイアルから注射器１１への充填後、注射前に、針交換を行うことができる。
【００８２】
いずれの実施形態においても、本発明の利点は、ロッキング合せピンおよび予備組立てグランドにある。本発明はまた、空気の排出を制御することによって針ハブの緩徐な引込みを提供する。針ハブへのプランジャー密封栓の位置設定は、スピゴットの使用により有利に容易化される。移動可能なピストンを使用することにより、注射完了時に液体の完全な排出が可能になる一方、プランジャーがさらに移動して針引込みを達成することが可能になる。
【００８３】
図８から２１では、本発明のさらなる実施形態が示されているが、ここで、すでに記載されたものに類似の構成部品は同一の数字で記されている。
【００８４】
滑動スプレッダーブッシュ６４は、テーパ先端６５を有する。
【００８５】
指状体６２の形状が識別可能なようにグランドブッシュ１５が示される。
【００８６】
図１７から２１では、注射後、プランジャー１３（図示せず）は押し下げられると、該プランジャー１３が密封体５３に接触し、それを押し下げる。これにより、滑動スプレッダーブッシュ６４は、グランドブッシュ１５の内側にある２つの指状体キャストと噛み合わされる。プランジャー１３を押しつづけることにより、２つの指状体６２が外に出て、針ハブ１７を解除する。同時に、中空プランジャー１３の末端内に位置した密封栓３６（図示せず）がプランジャーの内側に追い出され、圧縮スプリング２６が針ハブ１７を中空プランジャー１３の内側に引込ませる。
【００８７】
この実施形態の全体的操作の他の態様は、図１から３、ならびに図４から７に関連して上記されたものに類似している。
【００８８】
本発明の精神および範囲から逸脱することなく、本明細書に記載された実施形態に対して、多くの修飾および変型化を行い得ることは、当業者に理解されるであろう。
【００８９】
本明細書を通じて、用語の「を含んでなる」およびその派生語は、別に脈絡上必要でない限り、排他的ではなく包含的な意味を有することが意図されている。
【図面の簡単な説明】
【００９０】
【図１】図１は、本発明の第１の実施形態による注射器の針グランド組立品の横断面図である。
【図２】図２は、本発明の第１の実施形態による注射器と共に使用されるプランジャーの横断面図である。
【図３】図３は、本発明の第１の実施形態による注射器と共に使用される注射器外筒プランジャーである。
【図４】図４は、使用前にスリーブが使用される、本発明の第２の実施形態による組立て注射器の横断面図である。
【図５】図５は、注射用液体の受容後に引き込まれたプランジャーを示している、図４の注射器の横断面図である。
【図６】図６は、注射後、第２段階へ押し下げられたプランジャーを示している、図４および５の注射器の横断面図である。
【図７】図７は、中空プランジャー内の引き込まれた針およびスプリングを示している、図４から６の注射器の横断面図である。
【図８】図８は、本発明のさらなる実施形態による、該グランドブッシュ内に位置した内部指状体および滑動スプレッダースリーブ注射器を使用している、注射器の外筒（図１７から２０でその全体が示されている）の横断面図である。
【図９】図９は、図１７から２０の注射器と共に使用されるプランジャーの横断面図である。
【図１０】図１０は、図１７から２０の注射器と共に使用されるプランジャーの近位端のプラン図である。
【図１１】図１１は、図１０のプランジャーの端の横断側面図である。
【図１２】図１２は、図１７から２０の注射器用キャップの横断面図である。
【図１３】図１３は、図１８から２１の注射器と共に使用される針グランドの横断面図であり、該針グランドは、注射器外筒の端の中へねじ込むことができる。
【図１４】図１４は、図１８から２１の注射器と共に使用され、図１３の針グランド内に位置する、滑動スリーブの横断面図である。
【図１５】図１５は、図１８から２１の注射器と共に使用され、図１４の針ハブ付近、かつ図１３のグランド内部に位置する滑動スリーブの横断面図である。
【図１６】図１６は、図１８から２１の注射器と共に使用される、図１０のプランジャーの遠位端にすえつけられているピストン支持体の横断面図である。
【図１７】図１７は、図１２から１６の構成部品が、自動引込みの達成直前に使用される領域における図１８から図２１に示された注射器の詳細な横断面図である。
【図１８】図１８は、図１２から１７が種々の構成部品およびそれらの相互作用を詳細に示している、本発明のさらなる実施形態による注射器全体の横断面図であり、該注射器は、引き込まれて注射の準備ができた液体を充填したプランジャーを有する。
【図１９】図１９は、押し下げられ、自動引込みが達成される直前に使用されるプランジャーを示している、図１８の注射器の横断面図である。
【図２０】図２０は、十分に押し下げられ、自動引込みを作動させるプランジャーを示している、図１８の注射器の横断面図である。
【図２１】図２１は、自動引込みが生じ、針ハブが中空プランジャー内に位置した、図１８の注射器の横断面図である。
【図１】
2008532657.tif 000003
【図２】
2008532657.tif 000004
【図３】
2008532657.tif 000005
【図４】
2008532657.tif 000006
【図５】
2008532657.tif 000007
【図６】
2008532657.tif 000008
【図７】
2008532657.tif 000009
【図８】
2008532657.tif 000010
【図９】
2008532657.tif 000011
【図１０】
2008532657.tif 000012
【図１１】
2008532657.tif 000013
【図１２】
2008532657.tif 000014
【図１３】
2008532657.tif 000015
【図１４】
2008532657.tif 000016
【図１５】
2008532657.tif 000017
【図１６】
2008532657.tif 000018
【図１７】
2008532657.tif 000019
【図１８】
2008532657.tif 000020
【図１９】
2008532657.tif 000021
【図２０】
2008532657.tif 000022
【図２１】
2008532657.tif 000023
【手続補正書】
【提出日】平成18年10月26日(2006.10.26)
【手続補正１】
【補正対象書類名】特許請求の範囲
【補正対象項目名】請求項１
【補正方法】変更
【補正の内容】
【請求項１】
注射器内に自動引込み針組立品を組み込んだ自動引込み安全注射器であって、
該安全注射器は、注射器外筒内に滑動可能に位置した中空プランジャーを有する注射器外筒を有し、該中空プランジャーは、外筒内部に密封されて滑動可能であるようにその遠位端でそれに結合したピストン手段を有する近位端および遠位端を有し、該針組立品は、針および針ハブを具えており、前記針の針ハブと、前記針ハブ上に配置されて該針ハブと該外筒端との間で作動するスプリングとを保持するために前記外筒の端にくぼみを有し、該スプリングは、使用中、圧縮下で留まり、該針ハブは、該針ハブと該外筒端との間の漏れを防ぐために、該針ハブに結合した密封手段を有し、前記針ハブは、その周囲に、使用中、該スプリングの圧縮作用に対して前記注射器外筒の端に前記針ハブを保持するように、ロッキング手段が噛み合う溝またはくぼみを有し、該中空プランジャーの前記遠位端は密封栓を有し、該プランジャーは、注射完了の際に、第一段階において前記針組立品に接触し、さらに押し下げられた際、前記ロッキング手段を前記溝またはくぼみから追い出し、第二段階に達するまでに前記針ハブを解除させるようにロッキング手段に作用することによって、前記針ハブの自動引込みを作動させ、前記密封栓は、該針が引込む際のその作用により第二段階に達すると、前記プランジャーの前記遠位端から追い出され、それによって前記針ハブを解除し、したがって、該スプリングの影響下、前記針およびスプリングを前記中空プランジャーの内側に引き込ませることを特徴とする自動引込み安全注射器。
【手続補正２】
【補正対象書類名】明細書
【補正対象項目名】００１１
【補正方法】変更
【補正の内容】
【００１１】
発明の開示
広範な一形態では、本発明は、注射器内に自動引込み針組立体を組み込んだ安全注射器を提供し、該安全注射器は、注射器外筒内に滑動可能に配置された中空プランジャーを有する注射器外筒を有し、該中空プランジャーは、外筒内で密封されて滑動可能なようにそれに結合したピストン手段を近位端および遠位端に有し、該針組立体は、針、および針ハブを具えており、針の針ハブおよび前記針ハブ上に配置され、該針ハブと外筒の端部との間で作動するスプリングを保持するために外筒の端部にくぼみを有し、該スプリングは、使用中、圧縮下で留まり、該針ハブは、針ハブと外筒の端部との間の漏れを防ぐために、針ハブに結合した密封手段を有し、前記針ハブは、その周囲に、使用中、スプリングの圧縮作用に対して注射器外筒の端部に針ハブを保持するように、ロッキング手段が噛み合う溝またはくぼみを有し、該中空プランジャーの遠位端は密封栓を有し、該プランジャーは、注射完了の際に、第一段階において前記針組立体に接触し、さらに押し下げられた際、前記ロッキング手段を前記溝またはくぼみから追い出し、第二段階に達するまでに針ハブを解除させるようにロッキング手段に作用することによって、針ハブの自動引込みを作動させ、前記密封栓は、該針が引込む際のその作用により第二段階に達すると、前記遠位端から追い出され、それによって前記針ハブを解除し、したがって、スプリングの影響下、針およびスプリングを前記中空プランジャーの内側に引きこませる。
【手続補正３】
【補正対象書類名】明細書
【補正対象項目名】００８２
【補正方法】変更
【補正の内容】
【００８２】
図１から７に示されたいずれの実施形態においても、本発明の利点は、ロッキング合せピンおよび予備組立てグランドにある。本発明はまた、空気の排出を制御することによって針ハブの緩徐な引込みを提供する。針ハブへのプランジャー密封栓の位置設定は、スピゴットの使用により有利に容易化される。移動可能なピストンを使用することにより、注射完了時に液体の完全な排出が可能になる一方、プランジャーがさらに移動して針引込みを達成することが可能になる。
【手続補正４】
【補正対象書類名】明細書
【補正対象項目名】００８４
【補正方法】変更
【補正の内容】
【００８４】
先の実施形態のスリーブ４８の代わりとなる滑動スプレッダーブッシュ６４は、図１５に詳細に示すようにテーパ先端６５を有する。
【手続補正５】
【補正対象書類名】明細書
【補正対象項目名】００８５
【補正方法】変更
【補正の内容】
【００８５】
指状体６２の形状が識別可能なようにグランドブッシュ１５が図１３に示される。
【手続補正６】
【補正対象書類名】明細書
【補正対象項目名】００８６
【補正方法】変更
【補正の内容】
【００８６】
具体的に、図１７から２１では、注射後、プランジャー１３は押し下げられると、該プランジャー１３が密封体５３に接触し、それを押し下げる。これにより、滑動スプレッダーブッシュ６４は、グランドブッシュ１５の内側にある２つの指状体６２キャストと噛み合わされる。プランジャー１３を押しつづけることにより、２つの指状体６２が外に出て、針ハブ１７を解除する。同時に、中空プランジャー１３の末端内に位置した密封栓３７がプランジャーの内側に追い出され、圧縮スプリング２６が針ハブ１７を中空プランジャー１３の内側に引込ませる。
【手続補正７】
【補正対象書類名】図面
【補正対象項目名】図８
【補正方法】変更
【補正の内容】
【図８】
2008532657.tif 000024
【手続補正８】
【補正対象書類名】図面
【補正対象項目名】図９
【補正方法】変更
【補正の内容】
【図９】
2008532657.tif 000025
【手続補正９】
【補正対象書類名】図面
【補正対象項目名】図１０
【補正方法】変更
【補正の内容】
【図１０】
2008532657.tif 000026
【手続補正１０】
【補正対象書類名】図面
【補正対象項目名】図１１
【補正方法】変更
【補正の内容】
【図１１】
2008532657.tif 000027
【手続補正１１】
【補正対象書類名】図面
【補正対象項目名】図１２
【補正方法】変更
【補正の内容】
【図１２】
2008532657.tif 000028
【手続補正１２】
【補正対象書類名】図面
【補正対象項目名】図１３
【補正方法】変更
【補正の内容】
【図１３】
2008532657.tif 000029
【手続補正１３】
【補正対象書類名】図面
【補正対象項目名】図１４
【補正方法】変更
【補正の内容】
【図１４】
2008532657.tif 000030
【手続補正１４】
【補正対象書類名】図面
【補正対象項目名】図１５
【補正方法】変更
【補正の内容】
【図１５】
2008532657.tif 000031
【手続補正１５】
【補正対象書類名】図面
【補正対象項目名】図１６
【補正方法】変更
【補正の内容】
【図１６】
2008532657.tif 000032
【手続補正１６】
【補正対象書類名】図面
【補正対象項目名】図１７
【補正方法】変更
【補正の内容】
【図１７】
2008532657.tif 000033
【手続補正１７】
【補正対象書類名】図面
【補正対象項目名】図１８
【補正方法】変更
【補正の内容】
【図１８】
2008532657.tif 000034
【手続補正１８】
【補正対象書類名】図面
【補正対象項目名】図１９
【補正方法】変更
【補正の内容】
【図１９】
2008532657.tif 000035
【手続補正１９】
【補正対象書類名】図面
【補正対象項目名】図２０
【補正方法】変更
【補正の内容】
【図２０】
2008532657.tif 000036
【手続補正２０】
【補正対象書類名】図面
【補正対象項目名】図２１
【補正方法】変更
【補正の内容】
【図２１】
2008532657.tif 000037
【国際調査報告】
2008532657.tif 000038
2008532657.tif 000039
2008532657.tif 000040